(57)【要約】【課題】操作性を向上させることができるトイレシステムを提供する。【解決手段】使用者が操作可能な複数の操作部と、前記操作部に対して操作が行われたことに応じて発電する電力を利用し、該操作に対応する通常制御を実行する制御部と、を備え、前記制御部は、二以上の前記操作部が同時操作された場合には、前記通常制御とは異なる特殊制御を実行するトイレシステム。【選択図】図１
2019052496.tif 000002
【特許請求の範囲】
【請求項１】
使用者により、第１の操作と前記第１の操作を伴う第２の操作との２段階の操作が可能な複数の操作部と、
前記複数の操作部のそれぞれに対応して設けられ、前記操作部に対して前記第１の操作が行われると前記操作部への操作を検出する操作検出部と、
前記操作部に対して前記第２の操作が行われたことに応じて発電する発電部と、
前記操作検出部により前記操作部への操作が検出された場合には、当該操作部に対応する通常制御を実行する制御部と、
を備え、
前記制御部は、前記発電部により発電された際に、二以上の操作検出部が前記操作部への操作を検出している場合には、同時操作が行われたとして前記通常制御とは異なる特殊制御を実行することを特徴とするトイレシステム。
【請求項２】
前記操作部への前記第２の操作の操作力を前記発電部に伝達するリンク機構を備え、
前記発電部は、前記操作検出部が前記操作部への操作を検出している状態で、前記リンク機構により伝達された操作力を電力に変換することで発電する、請求項１に記載のトイレシステム。
【請求項３】
前記リンク機構は、前記複数の操作部のそれぞれに連結されており、少なくとも一つの前記操作部が前記第２の操作がされた場合には、前記第２の操作の操作力を前記発電部に伝達する、請求項２に記載のトイレシステム。
【請求項４】
前記制御部は、同時操作されている前記操作部の組み合わせに応じた前記特殊制御を実行する、請求項１から請求項３のいずれか一項に記載のトイレシステム。
【請求項５】
前記操作部は、前記第１の操作として第１の操作力で押下操作されることで半押し状態となり、前記第２の操作として前記第１の操作力も大きい第２の操作力で押下操作されることで全押し状態となる、請求項１から請求項４のいずれか一項に記載のトイレシステム。
【発明の詳細な説明】
【技術分野】
【０００１】
本発明は、トイレシステムに関する。
【背景技術】
【０００２】
下記特許文献１には、操作ボタンの押下操作で発電するリモコン装置を備えたトイレシステムが開示されている。このトイレシステムは、管理者や施工者などの特定の者のみが温度調整や流量調整等の設定を変更する場合に使用される特殊モードを有する。
【先行技術文献】
【特許文献】
【０００３】
【特許文献１】特開２０１５−１９０２３７号公報
【発明の概要】
【発明が解決しようとする課題】
【０００４】
しかしながら、特許文献１に記載のトイレシステムでは、同一の操作ボタンを複数回押下操作しなければ、特殊モードに切り替えることができず、使用者にとって使い勝手が悪い。
この問題を解決するために、複数の操作ボタンの同時に押下操作することにより特殊モードに切り替える方法が考えられる。ただし、この方法では、使用者が複数の操作ボタンを同時に押下操作しようしても、複数の操作ボタン間での押下操作のタイミングがずれてしまう場合が考えられる。そのため、使用者が同時に押下操作しようとしても、リモコン装置では単押しであると認識されてしまい、操作性が悪い。
【０００５】
本発明は、このような事情に鑑みてなされたもので、その目的は、操作性を向上させたトイレシステムを提供することである。
【課題を解決するための手段】
【０００６】
本発明の一態様は、使用者により、第１の操作と前記第１の操作を伴う第２の操作との２段階の操作が可能な複数の操作部と、前記複数の操作部のそれぞれに対応して設けられ、前記操作部に対して前記第１の操作が行われると前記操作部への操作を検出する操作検出部と、前記操作部に対して前記第２の操作が行われたことに応じて発電する発電部と、前記操作検出部により前記操作部への操作が検出された場合には、当該操作部に対応する通常制御を実行する制御部と、を備え、前記制御部は、前記発電部により発電された際に、二以上の操作検出部が前記操作部への操作を検出している場合には、同時操作が行われたとして前記通常制御とは異なる特殊制御を実行することを特徴とするトイレシステムである。
【０００７】
本発明の一態様は、上述のトイレシステムであって、前記操作部への前記第２の操作の操作力を前記発電部に伝達するリンク機構を備え、前記発電部は、前記操作検出部が前記操作部への操作を検出している状態で、前記リンク機構により伝達された操作力を電力に変換することで発電する。
【０００８】
本発明の一態様は、上述のトイレシステムであって、前記リンク機構は、前記複数の操作部のそれぞれに連結されており、少なくとも一つの前記操作部が前記第２の操作がされた場合には、前記第２の操作の操作力を前記発電部に伝達する。
【０００９】
本発明の一態様は、上述のトイレシステムであって、前記制御部は、同時操作されている前記操作部の組み合わせに応じた前記特殊制御を実行する。
【００１０】
本発明の一態様は、上述のトイレシステムであって、前記操作部は、前記第１の操作として第１の操作力で押下操作されることで半押し状態となり、前記第２の操作として前記第１の操作力も大きい第２の操作力で押下操作されることで全押し状態となる。
【発明の効果】
【００１１】
以上説明したように、本発明によれば、操作性を向上させることができる。
【図面の簡単な説明】
【００１２】
【図１】本発明の一実施形態に係るリモコン装置を備えたトイレシステムＡの概略構成の一例を示す図である。
【図２】本発明の一実施形態に係るリモコン装置２の前面を示す図である。
【図３】本発明の一実施形態に係るリモコン装置２の概略構成の一例を示す図である。
【図４】本発明の一実施形態に係る操作ボタン８の横断図（図２のＡ−Ａ線断面図）である。
【図５】本発明の一実施形態に係る操作ボタン８の縦断面図（図２のＢ−Ｂ線断面図）である。
【図６】本発明の一実施形態に係る操作検出部１０、発電部１１及びリンク機構１２を模式的に表した図である。
【図７】本発明の一実施形態に係るリンク機構１２の概略構成の一例を示す平面図である。
【図８】本発明の一実施形態に係る操作ボタン８が押下操作されていない状態のリンク機構１２の断面図である。
【図９】本発明の一実施形態に係る操作ボタン８が全押し操作されたときの状態のリンク機構１２の断面図である。
【図１０】発明の一実施形態に係る制御部９の構成概略の一例を示す図である。
【図１１】本発明の一実施形態に係る記憶部１５に格納される操作ボタン８に応じた発信コードの一例をテーブル形式で示す図である。
【図１２】本発明の一実施形態に係る記憶部１５に格納される、同時操作されたときの操作ボタン８の組み合わせに応じた発信コードの一例をテーブル形式で示す図である。
【図１３】本発明の一実施形態に係るトイレシステムＡの動作の流れを示す図である。
【発明を実施するための形態】
【００１３】
以下、本発明の一実施形態に係るリモコン装置を、図面を用いて説明する。
【００１４】
図１は、本発明の一実施形態に係るリモコン装置を備えたトイレシステムＡの概略構成の一例を示す図である。図１に示すように、トイレシステムＡは、トイレ装置１及びリモコン装置２を備える。
【００１５】
トイレ装置１は、便座装置３及び便器本体４を備える。
【００１６】
便座装置３は、リモコン装置２と無線通信することで情報を送受する。この無線通信とは、例えば、電波による通信である。
便座装置３は、トイレルーム内に設けられた便器本体４上に設置されている。便座装置３は、便座ボックス５、便蓋６及び便座７を備える。
【００１７】
便座ボックス５は、便器本体４の後部に設置されている。
便蓋６及び便座７は、便座ボックス５に対して上下方向に回動可能に支持されている。
【００１８】
リモコン装置２は、トイレルームの所定位置に着脱可能に設置されている。例えば、この所定位置とは、例えば、トイレルームの壁面である。このリモコン装置２は、便座装置３と電波通信する。このリモコン装置２は、発電式の電池レスリモコンである。
【００１９】
図２は、本発明の一実施形態に係るリモコン装置２の前面を示す図である。
【００２０】
図２に示すように、リモコン装置２は、複数の操作ボタン８を備える。なお、操作ボタン８は、本発明の「操作部」の一例である。
【００２１】
複数の操作ボタン８は、便座装置３の各機能に対応するボタンであって、リモコン装置２の前面に設けられている。使用者は、所望の通常機能（例えば、便器洗浄や衛生洗浄の吐水）に対応した操作ボタン８を押下操作することで、便座装置３に対して所望の通常機能を実行させることができる。
【００２２】
ここで、操作ボタン８は、第１の操作と、その第１の操作を伴う第２の操作との２段階の操作が可能な構成を有している。本実施形態では、第１の操作は半押し操作であって、第２の操作は全押し操作である。
半押し操作とは、第１の操作力で操作ボタン８を押下操作することで、当該操作ボタン８の可動域のうち、中間点位置まで操作ボタン８を押し込む操作である。すなわち、操作ボタン８は、使用者により第１の操作として第１の操作力で押下操作されることで、中間点位置まで押し込まれ半押し状態となる。
一方、全押し操作とは、第１の操作力よりも大きい第２の操作力で操作ボタン８を押下操作することで、当該操作ボタン８の可動域いっぱい、すなわち中間点位置を経由して最下点位置まで操作ボタン８を押し込む操作である。すなわち、操作ボタン８は、半押し状態である場合において、使用者により第２の操作として第２の操作力で押下操作されることで、最下点位置まで押し込まれ全押し状態となる。
このように、使用者が操作ボタン８を全押し操作するには、操作ボタン８に対して第１の操作力と第２の操作力の２段階の操作力が必要になる。
【００２３】
例えば、操作ボタン８は、押ボタンである。本実施形態では、リモコン装置２の前面には、操作ボタン８として、おしり洗浄ボタン８ａ、ビデ洗浄ボタン８ｂ、洗浄調節ボタン８ｃ、乾燥ボタン８ｄ、及び停止ボタン８ｅがそれぞれ設けられている。
【００２４】
おしり洗浄ボタン８ａは、トイレ装置１に対しておしり洗浄を開始させるためのボタンである。
ビデ洗浄ボタン８ｂは、トイレ装置１に対してビデ洗浄を開始させるためのボタンである。
洗浄調節ボタン８ｃは、おしり洗浄又はビデ洗浄の吐水の強さを調整するためのボタンである。
乾燥ボタン８ｄは、トイレ装置１に対して局部乾燥を開始させるためのボタンである。
停止ボタン８ｅは、トイレ装置１に対しておしり洗浄、ビデ洗浄、又は局部乾燥を停止させるためのボタンである。
【００２５】
以下に、本発明の一実施形態に係るリモコン装置２の構成について具体的に説明する。図３は、本発明の一実施形態に係るリモコン装置２の概略構成の一例を示す図である。
図３に示すように、リモコン装置２は、複数の操作検出部１０（１０ａ〜１０ｅ）、発電部１１、リンク機構１２、及び制御部９を更に備える。
【００２６】
操作検出部１０は、複数の操作ボタン８ごとに設けられている。すなわち、操作検出部１０は、複数の操作ボタン８のそれぞれに対応して設けられている。また、複数の操作検出部１０は、制御部９にそれぞれ電気的に接続されている。
【００２７】
この操作検出部１０は、対応する操作ボタン８が押下操作されたことを検出する。具体的には、操作検出部１０は、対応する操作ボタン８が半押し操作された時点で、対応する操作ボタン８が押下操作されたことを検出する。したがって、操作検出部１０は、対応する操作ボタン８が半押し操作されてる状態から全押し操作されている状態までの間において、常に操作ボタン８に対する押下操作を検出することになる。
例えば、操作検出部１０は、操作ボタン８の可動域のうち、操作ボタン８が中間点位置から最下点位置にある場合には、常にオン状態となることで、操作ボタン８に対する押下操作を検出することになる。
【００２８】
操作検出部１０は、押下操作を検出している場合（オン状態である場合）には、検出信号を制御部９に出力する。
【００２９】
本実施形態では、操作検出部１０ａがおしり洗浄ボタン（操作ボタン）８ａに対応して設けられ、操作検出部１０ｂがビデ洗浄ボタン（操作ボタン）８ｂに対応して設けられ、操作検出部１０ｃが洗浄調節ボタン（操作ボタン）８ｃに対応して設けられ、操作検出部１０ｄが乾燥ボタン（操作ボタン）８ｄに対応して設けられ、操作検出部１０ｅが停止ボタン（操作ボタン）８ｅに対応して設けられている。
【００３０】
操作検出部１０は、例えば、プッシュボタンスイッチである。以下に、操作検出部１０における、操作ボタン８に対する押下操作の検出方法について、図４，５を用いて説明する。図４は、本発明の一実施形態に係る操作ボタン８の横断図（図２のＡ−Ａ線断面図）である。図５は、本発明の一実施形態に係る操作ボタン８の縦断面図（図２のＢ−Ｂ線断面図）である。
【００３１】
図４に示すように、操作ボタン８は、リモコン装置２の前面側のケースである上蓋部４０に設けられたボタン孔４１に挿着されている。これにより、操作ボタン８は、ボタン孔４１の軸方向（リモコン装置２の厚さ方向）に対して移動可能となる。
ボタン孔４１の周りには、リング状の補強部１４が形成されている。
【００３２】
操作ボタン８は、被押圧部２１、カム部２５、及びスイッチ押圧部２６を備えている。
【００３３】
被押圧部２１は、例えば、円板状である。この被押圧部２１の上面は、使用者に押圧される部分である。また、被押圧部２１の周縁には、上面と反対側に向かって垂れ下がった縁取り部２３が設けられている。
【００３４】
縁取り部２３は、リング状であって、その外径寸法が補強部１４の内径寸法に略等しい。この縁取り部２３は、補強部１４に対して摺動可能である。縁取り部２３の下端は、外方に折れ曲がってフランジ２４を構成する。
【００３５】
フランジ２４は、補強部１４の下端に当接して、操作ボタン８が上蓋部４０から外れないようにしている。
【００３６】
カム部２５は、被押圧部２１の裏面において、スイッチ押圧部２６を挟むように一対で突設されている。
カム部２５は、例えば板状であって、一端が被押圧部２１に接続され、他端である自由端には両角に傾斜面が形成されている（図５参照）。この傾斜面が図５に示す第１カム部２７である。
【００３７】
スイッチ押圧部２６は、被押圧部２１の裏面の略中央において、被押圧部２１の上面と反対側に向かって突設している。
スイッチ押圧部２６は、操作検出部１０に対向して設けられており、操作ボタン８が半押し操作されている状態から全押しされている状態までの間の状態においては常に操作検出部１０を押圧する。これにより、操作検出部１０は、オン状態となり、操作ボタン８に対する押下操作を検出することになる。なお、スイッチ押圧部２６の形状は、操作検出部１０を押圧できるような任意の形状に変更可能である。
【００３８】
図３に戻り、発電部１１は、操作ボタン８に対して操作が行われたことに応じて発電する。具体的には、発電部１１は、操作検出部１０が操作ボタン８への操作を検出している状態で、各操作ボタン８の少なくともいずれかが全押し操作が行われたことにより発電する。
【００３９】
リンク機構１２は、各操作ボタン８と発電部１１との間に設けられている。そして、リンク機構１２は、各操作ボタン８に対する力を発電部１１に伝達する。
具体的には、リンク機構１２は、複数の操作ボタン８のそれぞれに連結されており、少なくとも一つの操作ボタン８が全押し操作された場合には、その全押し操作の操作力を発電部１１に伝達することができる。また、このリンク機構１２は、複数の操作ボタン８のうち、少なくとも一つの操作ボタン８の全押し操作が解放された場合には、その解放による反力を発電部１１に伝達することができる。
【００４０】
以下に、本実施形態に係る発電部１１の発電方法について、図６を用いて説明する。図６は、本発明の一実施形態に係る操作検出部１０、発電部１１及びリンク機構１２を模式的に表した図である。
【００４１】
発電部１１は、発電素子１１ａ及び可動部１１ｂを備える。そして、発電素子１１ａは、リンク機構１２により可動部１１ｂが操作されることで発電する。
例えば、操作ボタン８が押下操作されていない場合には、当該操作ボタン８は、定常位置Ｈ１に位置する（図６（ａ））。この場合に、使用者が定常位置Ｈ１にある操作ボタン８を半押し操作すると、その操作ボタン８は、定常位置Ｈ１から中間点位置Ｈ２に移動する（図６（ｂ））。ただし、操作ボタン８が中間点位置Ｈ２に移動してもリンク機構１２は動作しない。すなわち、リンク機構１２は、操作ボタン８の半押し操作では摺動しない。そのため、可動部１１ｂも動作せず、発電素子１１ａは発電しない。ただし、半押し操作がされた操作ボタン８（スイッチ押圧部２６）は、操作検出部１０を押圧する。そのため、操作検出部１０は、オン状態となる。すなわち、操作ボタン８が半押し操作された場合には、操作検出部１０は、操作ボタン８への押下操作を検出する。
【００４２】
次に、使用者が中間点位置Ｈ２にある操作ボタン８をさらに押し込んで全押し操作をすると、その操作ボタン８は、中間点位置Ｈ２から最下点位置Ｈ３に移動する（図６（ｃ））。この場合には、リンク機構１２は、操作ボタン８への全押し操作により摺動して可動部１１ｂを押し下げる。これにより、発電素子１１ａは、電力（以下、「発電電力」という。）を発電する。なお、全押し操作された操作ボタン８（スイッチ押圧部２６）は、操作検出部１０への押圧を継続している。そのため、操作検出部１０はオン状態である。すなわち、操作ボタン８が全押し操作された場合であっても、操作検出部１０は、操作ボタン８への押下操作を検出している。
【００４３】
なお、使用者が半押し操作又は全押し操作を解放すると、操作ボタン８も定常位置Ｈ１に戻る。なお、全押し操作が解放された場合では、リンク機構１２は、元の位置に戻る。そのため、操作ボタン８が最下点位置Ｈ３から定常位置Ｈ１に押し上げられる。
【００４４】
このように、発電部１１は、操作ボタン８が半押し操作されることで定常位置Ｈ１から中間点位置Ｈ２に移動した場合では発電せず、操作ボタンが全押し操作されることで最下点位置Ｈ３に移動した場合に電力を発電する。
また、操作検出部１０は、操作ボタン８が半押し操作された状態（中間点位置Ｈ２にある状態）から全押し操作された状態（最下点位置Ｈ３にある状態）までの間、当該操作ボタン８により押下されているため、常にオン状態となる。すなわち、操作検出部１０は、半押し操作及び全押し操作のいずれであっても、操作ボタン８が押下操作されているとして当該押下操作を検出する。そのため、操作検出部１０は、発電部１１が電力を発電する前には必ずオン状態となり、操作ボタン８への押下操作を検出することになる。
【００４５】
なお、例えば、発電部１１は、電磁誘導により上記押力を電力に変換してもよいし、圧電素子を用いて上記押力を電力に変換してもよい。
【００４６】
以下に、本実施形態に係るリンク機構１２の具体的な構成について、図７〜９を用いて説明する。図７は、本発明の一実施形態に係るリンク機構１２の概略構成の一例を示す平面図である。図８は、本発明の一実施形態に係る操作ボタン８が押下操作されていない状態（定常位置Ｈ１の状態）のリンク機構１２の断面図である。図９は、本発明の一実施形態に係る操作ボタン８が全押し操作されたときの状態（最下点位置Ｈ３の状態）のリンク機構１２の断面図である。
【００４７】
リンク機構１２は、本体部１０１及び圧縮コイルバネ１１５を備える。
本体部１０１は、ラダー形状である。本体部１０１は、縦木部１１０及び横木部１３０を備える。
【００４８】
縦木部１１０は、長板状の部材である。この縦木部１１０は、本体部１０１に一対で設けられている。
【００４９】
縦木部１１０には、スライド部１１１、被ガイド部１１２、及び第２カム部１２０が形成されている。
【００５０】
スライド部１１１は、縦木部１１０の下面に形成されており、リモコン装置２の後面側のケースである下蓋部４２に対して接触且つ摺動可能に構成されている。スライド部１１１は、リモコン装置２の操作ボタン８に対向する位置に形成されていることが好ましい。なお、縦木部１１０の下面を全面的に下蓋部４２に接触させると接触抵抗が増大するため、本実施形態では、スライド部１１１のみが下蓋部４２に接触し、スライド部１１１以外の下面は、下蓋部４２から離隔している。
【００５１】
被ガイド部１１２は、下蓋部４２から離隔した下面の一部に形成された板状部材である。この被ガイド部１１２は、下蓋部４２に形成されているガイドレール３１に挟み込まれている。これにより、本体部１０１は、被ガイド部１１２がガイドレール３１に案内されることにより、下蓋部４２に対してリモコン装置２の長手方向に摺動する。
【００５２】
圧縮コイルバネ１１５は、縦木部１１０の自由端と下蓋部４２との間に設けられている。この圧縮コイルバネ１１５は、縦木部１１０に対して移動方向とは反対方向に付勢する。
【００５３】
第２カム部１２０は、縦木部１１０の外方側面に形成されている。この第２カム部１２０は、発電部１１の可動部１１ｂに対向している。
【００５４】
横木部１３０は、一対の縦木部１１０に複数懸架されている。本実施形態では、横木部１３０は、操作ボタン８の第１カム部２７に対向する棒状のローラである。
【００５５】
次に、本実施形態に係る操作ボタン８の全押し操作によるリンク機構１２の動作について説明する。
【００５６】
使用者により操作ボタン８が全押し操作されると、操作ボタン８の第１カム部２７である傾斜面又は曲面が本体部１０１の横木部１３０を押圧する。そして横木部１３０が押圧されると、この押圧力が第１カム部２７から縦木部１１０に伝達され、本体部１０１はガイドレール３１に案内されながら、下蓋部４２の面に沿って移動する（図８における右側の方向に移動する）。この本体部１０１の移動に伴い、第２カム部１２０が発電素子１１ａに作用して、その発電素子１１ａの可動部１１ｂを変位させる。これにより、発電素子１１ａは発電電力を発電する。
【００５７】
一方、操作ボタン８の全押し操作が解放されると、圧縮コイルバネ１１５の付勢力により縦木部１１０が元の位置に戻される。そして、縦木部１１０が元の位置に戻ることにより、縦木部１１０が第１カム部２７を押圧して操作ボタン８を持ち上げる。なお、操作ボタン８は、操作検出部１０に内蔵されている圧縮コイルバネの付勢力（押下方向と反対方向に付勢する力）によって持ち上げられてもよい。
【００５８】
次に、本実施形態に係る制御部９について説明する。図１０は、発明の一実施形態に係る制御部９の構成概略の一例を示す図である。
図１０に示すように、制御部９は、電力供給部１３、記憶部１５、決定部１６、送信部１７、及びアンテナ１８を備える。
【００５９】
電力供給部１３は、発電部１１に接続されている。電力供給部１３は、発電部１１から発電電力を取得する。そして、電力供給部１３は、発電部１１から取得した発電電力を、制御部９内の各部に動作電力として供給する。
【００６０】
記憶部１５は、操作ボタン８に応じた発信コードを格納している。
図１１は、本発明の一実施形態に係る記憶部１５に格納される操作ボタン８に応じた発信コードの一例をテーブル形式で示す図である。
【００６１】
図１１に示すように、記憶部１５には、各操作ボタン８に応じた発信コードが格納される単押し発信コード格納テーブルが設けられている。
単押し発信コード格納テーブルには、単押しの発信コード（単押し発信コード）と操作ボタン８とが対応づけられて格納されている。
【００６２】
単押し発信コードは、複数の操作ボタン８のうち、一つの操作ボタン８が押圧操作された場合に制御部９からトイレ装置１に発信する信号である。この単押し発信コードは、操作ボタン８ごとに設定される通常機能をトイレ装置１に行わせるコードである。
【００６３】
例えば、単押し発信コード格納テーブルには、おしり洗浄ボタン８ａと、通常機能のおしり洗浄を開始させることを指示する発信コード「１」との情報が対応づけられて格納されている。
【００６４】
例えば、単押し発信コード格納テーブルには、ビデ洗浄ボタン８ｂと、通常機能のビデ洗浄を開始させることを指示する発信コード「２」とが対応づけられて格納されている。
【００６５】
例えば、単押し発信コード格納テーブルには、洗浄調節ボタン８ｃと、通常機能のおしり洗浄又はビデ洗浄の吐水の強さを調整することを指示する発信コード「３」との情報が対応づけられて格納されている。
【００６６】
例えば、単押し発信コード格納テーブルには、乾燥ボタン８ｄと、通常機能の局部乾燥を開始させることを指示する発信コード「４」との情報が対応づけられて格納されている。
【００６７】
例えば、単押し発信コード格納テーブルには、停止ボタン８ｅと、通常機能のおしり洗浄、ビデ洗浄、又は局部乾燥を停止させることを指示する発信コード「５」との情報が対応づけられて格納されている。
【００６８】
また、記憶部１５は、同時操作されたときの操作ボタン８の組み合わせに応じた発信コードが格納している。
図１２は、本発明の一実施形態に係る記憶部１５に格納される、同時操作されたときの操作ボタン８の組み合わせに応じた発信コードの一例をテーブル形式で示す図である。
【００６９】
図１２に示すように、記憶部１５には、二以上の操作ボタン８の組み合わせに応じた発信コードが格納される同時押し発信コード格納テーブルが設けられている。
同時押し発信コード格納テーブルには、同時押しの発信コード（同時押し発信コード）と、二以上の操作ボタン８の組み合わせとが対応づけられて格納されている。
【００７０】
同時押し発信コードは、複数の操作ボタン８のうち、同時に二以上の操作ボタン８が押下操作された、いわゆる同時押しの場合に制御部９からトイレ装置１に発信する信号である。この同時押し発信コードは、単押し発信コードとは異なるコードである。
【００７１】
この同時押し発信コードは、トイレ装置１に対して通常機能とは異なる特殊機能を実行させるためのコードである。この特殊機能とは、例えば、トイレ装置１の設定を操作ボタン８の操作により設定変更可能なモード（管理者モード）に移行させる機能や、トイレ装置１の設定を変更させる機能である。例えば、管理者モードとは、通常機能を実行させる通常モードとは異なり、管理者や施工者などの特定の者のみが使用するモードである。トイレ装置１の設定とは、例えば、便座７の設定温度や、ビデ洗浄及びビデ洗浄のシャワーの設定温度である。
【００７２】
例えば、同時押し発信コード格納テーブルには、おしり洗浄ボタン８ａ及びビデ洗浄ボタン８ｂの組み合わせと、第１の特殊機能を実行させることを指示する発信コード「Ａ」との情報が対応づけられて格納されている。
【００７３】
例えば、同時押し発信コード格納テーブルには、おしり洗浄ボタン８ａ及び洗浄調節ボタン８ｃの組み合わせと、第２の特殊機能を実行させることを指示する発信コード「Ｂ」との情報が対応づけられて格納されている。
【００７４】
例えば、同時押し発信コード格納テーブルには、おしり洗浄ボタン８ａ及び乾燥ボタン８ｄの組み合わせと、第３の特殊機能を実行させることを指示する発信コード「Ｃ」との情報が対応づけられて格納されている。
【００７５】
例えば、同時押し発信コード格納テーブルには、おしり洗浄ボタン８ａ、ビデ洗浄ボタン８ｂ及び洗浄調節ボタン８ｃの組み合わせと、第４の特殊機能を実行させることを指示する発信コード「Ｄ」との情報が対応づけられて格納されている。
【００７６】
決定部１６は、電力供給部１３から供給される発電電力を動作電力として起動する。そして、決定部１６は、操作ボタン８に対する押下操作が、単押し及び同時押しのいずれかであるかを判定する。
【００７７】
例えば、決定部１６は、一つの操作検出部１０のみから検出信号を取得した場合には、操作ボタン８が単押しされたと判定する。一方、決定部１６は、複数の操作検出部１０から検出信号を取得した場合には、操作ボタン８が同時押しされたと判定する。すなわち、決定部１６は、発電部１１により発電された際に、一つの操作検出部１０のみがオン状態である場合には単押しと判定し、複数の操作検出部１０がオン状態である場合には同時押しと判定する。
【００７８】
決定部１６は、操作ボタン８が単押しされたと判定した場合には、その単押し操作に対応する通常制御を実行する。例えば、決定部１６は、操作ボタン８が単押しされた場合には、操作検出部１０からの検出信号に基づいて、複数の操作ボタン８の中から単押しされた操作ボタン８を判別する。そして、決定部１６は、判別した操作ボタン８に対応する単押し発信コードを、単押し発信コード格納テーブルから取得して送信部１７に送信する。
【００７９】
一方、決定部１６は、操作ボタン８が同時押しされたと判定した場合には、その同時押し操作に対応する特殊制御を実行する。例えば、決定部１６は、操作ボタン８が同時押しされた場合には、複数の操作検出部１０からの検出信号に基づいて、複数の操作ボタン８の中から同時押しされた操作ボタン８を判別する。そして、決定部１６は、判別した操作ボタン８に対応する同時押し発信コードを、同時押し発信コード格納テーブルから取得して送信部１７に送信する。
【００８０】
送信部１７は、決定部１６から送信された単押し発信コード又は同時押し発信コードをアンテナ１８を介してトイレ装置１に無線送信する。
【００８１】
アンテナ１８は、単押し発信コード又は同時押し発信コードをトイレ装置１に対して無線送信するためのアンテナである。
【００８２】
次に、本実施形態に係るトイレ装置１における便座装置３について、説明する。
便座装置３は、制御部９から単押し発信コードを無線通信で取得した場合には、その単押し発信コードに対応した通常機能を実行する。
【００８３】
また、便座装置３は、制御部９から同時押し発信コードを無線で取得した場合には、その同時押し発信コードに対応した特殊機能を実行する。
【００８４】
以下に、本実施形態に係るトイレシステムＡの動作の流れについて説明する。図１３は、本発明の一実施形態に係るトイレシステムＡの動作の流れを示す図である。
【００８５】
まず、リモコン装置２は、使用者により操作ボタン８が全押し操作されることで発電部１１が発電すると、その発電部１１で発電された電力を動作電源として起動する。
そして、決定部１６は、起動した際に、使用者による操作ボタン８に対する押下操作が、単押し及び同時押しのいずれかであるかを判定する（ステップＳ１０１）。
【００８６】
例えば、決定部１６は、起動した際に、一つの操作検出部１０のみから検出信号を取得した場合には、操作ボタン８に対する押下操作が単押しであると判定する。
ここで、使用者による操作ボタン８に対する押下操作が単押しである場合には、その単押しの操作は必ず全押しとなる。
【００８７】
一方、決定部１６は、複数の操作検出部１０から検出信号を取得した場合には、操作ボタン８に対する押下操作が同時押しであると判定する。
ここで、使用者による操作ボタン８に対する押下操作が同時押しである場合には、その使用者による同時押しの操作は、以下に示す（１）と（２）の２通りが考えられる。
（１）使用者が異なる複数の操作ボタン８を同時に全押し操作する場合。
（２）使用者が一つ以上の操作ボタン８を半押し操作した状態（半押し状態）において、当該操作ボタン８（半押し状態の操作ボタン８）以外の操作ボタン８を全押し操作した場合。
【００８８】
ただし、上記（１）の場合、使用者が異なる複数の操作ボタン８を同時に全押し操作したとしても、その複数の操作ボタン８の間で全押し操作されるタイミングがずれてしまう場合が考えられる。この場合には、決定部１６は、発電電力を利用してステップＳ１０１の処理を行うときに一つの操作検出部１０しかオン状態となっておらず、その操作検出部１０からしか検出信号を取得することができない場合がある。したがって、決定部１６は、各操作ボタン８に対する押下操作を単押しであると判定し、同時押しを正確に検出できない場合がある。
【００８９】
一方、上記（２）の場合では、使用者は、一つの操作ボタン８を半押し操作した状態において、当該操作ボタン８（半押し状態の操作ボタン８）以外の操作ボタン８を全押し操作する。例えば、使用者がおしり洗浄ボタン８ａを半押し状態にしたとする。この状態のときには、操作検出部１０ａはオン状態となり、おしり洗浄ボタン８ａに対する押下操作を検出していることになる。そして、使用者がおしり洗浄ボタン８ａを半押し状態に操作したままで、ビデ洗浄ボタン８ｂを全押し操作したとする。すると、ビデ洗浄ボタン８ｂの全押し操作により操作検出部１０ｂがオン状態となり、その後、発電部１１が発電する。したがって、発電部１１が発電した時点では、操作検出部１０ａ及び操作検出部１０ｂが同時にオン状態となっている。そのため、決定部１６は、操作ボタン８への同時押しが行われた場合には、発電電力を利用してステップＳ１０１の処理を行うときに、複数の操作検出部１０（操作検出部１０ａ及び操作検出部１０ｂ）から検出信号を必ず取得することができる。したがって、決定部１６は、操作ボタン８への同時押しが行われた場合に、その操作ボタン８への押下操作を単押しと誤認することがない。
【００９０】
図１３に戻り、決定部１６は、操作ボタン８が単押しされたと判定した場合には、操作検出部１０からの検出信号に基づいて、複数の操作ボタン８の中から単押しされた操作ボタン８を判別する（ステップＳ１０２）。そして、決定部１６は、判別した操作ボタン８に対応する単押し発信コードを、単押し発信コード格納テーブルから取得して送信部１７に送信する（ステップＳ１０３）。
【００９１】
例えば、決定部１６は、単押しされた操作ボタン８が洗浄調節ボタン８ｃであると判別した場合には、単押し発信コード格納テーブルから単押し発信コード「３」を取得して送信部１７に送信する。そして、送信部１７は、アンテナ１８を介してトイレ装置１に単押し発信コード「３」を無線送信する。トイレ装置１は、送信部１７から単押し発信コード「３」を取得した場合には、通常機能のおしり洗浄又はビデ洗浄の吐水の強さの調整を実行する。
【００９２】
一方、決定部１６は、操作ボタン８が同時押しされたと判定した場合には、複数の操作検出部１０からの検出信号に基づいて、複数の操作ボタン８の中から同時押しされた操作ボタン８を判別する（ステップＳ１０４）。そして、決定部１６は、判別した複数の操作ボタン８の組み合わせに対応する同時押し発信コードを、同時押し発信コード格納テーブルから取得して送信部１７に送信する（ステップＳ１０５）。
【００９３】
例えば、決定部１６は、同時押しされた操作ボタン８がおしり洗浄ボタン８ａとビデ洗浄ボタン８ｂであると判別した場合には、同時押し発信コード格納テーブルから同時押し発信コード「Ａ」を取得して送信部１７に送信する。そして、送信部１７は、アンテナ１８を介してトイレ装置１に同時押し発信コード「Ａ」を無線送信する。トイレ装置１は、送信部１７から同時押し発信コード「Ａ」を取得した場合には、通常機能とは異なる特殊機能、例えば、管理者モードに移行する。
【００９４】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００９５】
（変形例１）上記実施形態では、複数の操作ボタン８に対して同時押し操作が行われた場合に、リモコン装置２の制御部９は、単押し発信コードとは異なる同時押し発信コードをトイレ装置１の便座装置３に送信したが、本発明はこれに限定されない。例えば、制御部９は、同時押し操作が行われた場合に、その同時押しされた操作ボタン８の各単押し発信コードを連続してトイレ装置１の便座装置３に送信してもよい。この場合には、便座装置３は、その連続して送信されてきた単押し発信コードを識別して、その識別した単押しコードの組み合わせに応じて特殊機能を決定する。
すなわち、便座装置３は、制御部９から断続的に単押し発信コードが送信された場合には、操作ボタン８が単押しされたとして、その単押し発信コードに応じた通常機能を実行する。この通常機能の実行は、便座装置３における通常制御である。一方、便座装置３は、制御部９から連続的に単押し発信コードが送信された場合には、操作ボタン８が同時押しされたとして、連続的に送信された単押し発信コードの組み合わせに応じた特殊機能を実行する。この特殊機能の実行は、便座装置３における特殊制御である。したがって、この場合においては、便座装置３は本発明の「制御部」の一例となる。
【００９６】
（変形例２）上記実施形態では、複数の操作ボタン８に対して同時押しが行われた場合に特殊制御を実行したが、本発明はこれに限定されない。例えば、便座装置３又は制御部９は、複数の操作ボタン８への同時押しが行われた後に単押しが行われた場合に特殊制御を実行してもよい。すなわち、本実施形態では、便座装置３又は制御部９は、同時押しを含む特定操作が行われたことを契機として特定制御を実行すればよい。
【００９７】
（変形例３）上記実施形態では、操作検出部１０がプッシュボタンスイッチである場合について説明したが、本発明はこれに限定されない。例えば、操作検出部１０はプッシュボタンスイッチ等のように機械式のスイッチでもよいし、ホール素子や静電容量式等のスイッチでもよい。
【００９８】
（変形例４）上記実施形態では、発電電力として可動部１１ｂが押し下げられた場合に発電する電力を用いたが、本発明はこれに限定されない。例えば、リモコン装置２は、可動部１１ｂが押し上げられた場合に発電する電力を発電電力として用いてもよい。すなわち、リモコン装置２は、操作ボタン８の全押し操作が解放されることで当該操作ボタン８が最下点位置Ｈ３から定常位置Ｈ１に戻るときの反力を電力に変換し発電される電力を発電電力として用いてもよい。
【００９９】
上述したように、本実施形態に係るトイレシステムＡは、少なくとも二以上の操作ボタン８が同時操作された場合には、通常制御とは異なる特殊制御を実行する。これにより、例えば、通常モードから管理者モードに切り替える場合に、同一の操作ボタン８を複数回押下操作する必要がなくなり、従来と比較して使用者の使い勝手を向上させることができる。
【０１００】
また、上述したように、本実施形態に係る操作ボタン８は、半押し操作と全押し操作の２段階の操作が可能である。そして、操作検出部１０は、使用者により操作ボタン８への押下操作が行われた場合には、その操作ボタン８への押下操作を検出する。また、発電部１１は、操作ボタン８に対して全押し操作が行われたことにより発電する。これにより、操作検出部１０は、発電部１１が電力を発電する前に操作ボタン８への押下操作を検出可能となる。そして、制御部９は、発電部１１が電力を発電した際に、複数の操作検出部１０が操作ボタン８への操作を検出している場合には、同時操作が行われたと判定する。これにより、リモコン装置２は、同時操作を精度良く検出することができ、同時操作における使用者の操作性を向上させることができる。
【０１０１】
また、上述したように、本実施形態に係るリモコン装置２は、操作ボタン８への全押し操作の操作力を発電部１１に伝達するリンク機構１２を備える。そして、発電部１１は、操作検出部１０が操作ボタン８への操作を検出している状態で、リンク機構１２により伝達された操作力を電力に変換することで発電する。これにより、使用者は、操作ボタン８を全押し操作した場合にクリック感が得られるため、その操作ボタン８への全押し操作が確実に行われたことを確認することができ、操作性を向上させることができる。
【０１０２】
また、上述したように、本実施形態に係るリモコン装置２では、リンク機構１２は、複数の操作ボタン８のそれぞれに連結されており、少なくとも一つの操作ボタン８が全押し操作された場合には、その全押し操作の操作力を発電部１１に伝達する。これにより、リモコン装置２の動作電力を一つの発電部１１で発電することができる。
【０１０３】
また、上述したように、本実施形態に係るリモコン装置２では、操作ボタン８は、第１の操作として第１の操作力で押下操作されることで半押し状態となり、第２の操作として第１の操作力も大きい第２の操作力で押下操作されることで全押し状態となる。したがって、同時し操作を行う場合に、まず使用者は、第２の操作力より小さい力、すなわち第１の操作力で一旦複数の操作ボタン８を押下操作する。これにより、第１の操作力で押下操作された操作ボタン８は、中間点位置まで押し込まれ半押し状態となる。換言すれば、操作ボタン８は、第１の操作力で押下操作された場合には、中間点位置まで移動したところで停止する。これにより、使用者は、複数の操作ボタン８に対して半押し操作を行えたか否かを確認することができる。そして、使用者は、複数の操作ボタン８が半押し状態であることを確認した後に、その半押し状態にある複数の操作ボタン８のうち、少なくともいずれかの操作ボタン８を第２の操作力で押下操作する（全押し操作する）。これにより、リモコン装置２は、使用者による複数の操作ボタン８への同時押しを確実に認識することができる。
【符号の説明】
【０１０４】
Ａ  トイレシステム
１  トイレ装置
２  リモコン装置
３  便座装置（制御部）
８  操作ボタン（操作部）
９  制御部
１０  操作検出部
１１  発電部
１２  リンク機構
【図１】
2019052496.tif 000003
【図２】
2019052496.tif 000004
【図３】
2019052496.tif 000005
【図４】
2019052496.tif 000006
【図５】
2019052496.tif 000007
【図６】
2019052496.tif 000008
【図７】
2019052496.tif 000009
【図８】
2019052496.tif 000010
【図９】
2019052496.tif 000011
【図１０】
2019052496.tif 000012
【図１１】
2019052496.tif 000013
【図１２】
2019052496.tif 000014
【図１３】
2019052496.tif 000015